(57)【要約】【課題】所望の場所において手軽に入浴を楽しむことができる可搬式浴室ユニットを提供することである。【解決手段】浴槽（２２）を有する浴室部分（２０）と、底部にローラ（４２）が回転可能に取り付けられ、浴室部分の床面の長さ方向両縁に配置されたレール（３０）上でローラを摺動させることにより、浴室部分から引き出したり、浴室部分内に収容したりするように構成された脱衣室部分（４０）とを備えている。また、使用した湯を濾過して再使用に供するための濾過循環機構を備えている。さらに、可搬式浴室ユニット（１０）を吊り上げる際に用いる吊り金具（３４）が取り付けられている。【選択図】　図１
2004073535.tif 000002
【特許請求の範囲】
【請求項１】
浴槽を有する浴室部分と、
前記浴室部分内に入れ子式に収容される脱衣室部分と、
を備えていることを特徴とする可搬式浴室ユニット。
【請求項２】
浴槽を有する浴室部分と、
底部にローラが回転可能に取り付けられ、前記浴室部分の床面の長さ方向両縁に配置されたレール上で前記ローラを摺動させることにより、浴室部分から引き出したり、浴室部分内に収容したりするように構成された脱衣室部分と、
を備えていることを特徴とする可搬式浴室ユニット。
【請求項３】
使用した湯を濾過して再使用に供するための濾過循環機構を更に備えていることを特徴とする請求項１又は２に記載の可搬式浴室ユニット。
【請求項４】
可搬式浴室ユニットを吊り上げる際に用いる吊り金具が取り付けられていることを特徴とする請求項１から３までのいずれか１項に記載の可搬式浴室ユニット。
【発明の詳細な説明】
【０００１】
【発明の属する技術分野】
本発明は一般に、可搬式浴室ユニットに関する。より詳細には、本発明は、所有者の所望の場所において手軽に入浴を楽しむことができる可搬式浴室ユニットに関する。
【０００２】
【発明が解決しようとする課題】
温泉に入ることは、現代人にとって憩いの一時であり、温泉愛好者も数多い。しかし、温泉に入るには、温泉がある所に出向かなければならず、手軽に入るという訳にはいかない。また、温泉は、定位置にあるため、自分の好みの風景の中で温泉に入ることは難しい。
【０００３】
本発明は、このような現状に鑑みて案出されたものであり、所望の場所において手軽に入浴を楽しむことができる可搬式浴室ユニットを提供することを目的としている。
【０００４】
【課題を解決するための手段】
本願請求項１に記載の可搬式浴室ユニットは、浴槽を有する浴室部分と、前記浴室部分内に入れ子式に収容される脱衣室部分とを備えていることを特徴とするものである。
【０００５】
本願請求項２に記載の可搬式浴室ユニットは、浴槽を有する浴室部分と、底部にローラが回転可能に取り付けられ、前記浴室部分の床面の長さ方向両縁に配置されたレール上で前記ローラを摺動させることにより、浴室部分から引き出したり、浴室部分内に収容したりするように構成された脱衣室部分とを備えていることを特徴とするものである。
【０００６】
本願請求項３に記載の可搬式浴室ユニットは、前記請求項１又は２のユニットにおいて、使用した湯を濾過して再使用に供するための濾過循環機構を更に備えていることを特徴とするものである。
【０００７】
本願請求項４に記載の可搬式浴室ユニットは、前記請求項１から３までのいずれか１項のユニットにおいて、可搬式浴室ユニットを吊り上げる際に用いる吊り金具が取り付けられていることを特徴とするものである。
【０００８】
【発明の実施の形態】
次に図面を参照して、本発明の実施の形態について詳細に説明する。図１〜図３において全体として参照符号１０で示される本発明の好ましい実施の形態に係る可搬式浴室ユニットは、浴室部分２０と、脱衣室部分４０とを備えている。
【０００９】
浴室部分２０は、全体として直方体の形状を有しており、対向する一対の長さ方向側壁２０ａ、２０ｂと、横断方向壁２０ｃと、頂壁２０ｄと、底壁（図示せず）とを有しており、横断方向壁２０ｃと対向した壁部は、後述するように、脱衣室部分４０を収容するため、開放している。
【００１０】
浴室部分２０内には、図３に示されるように、浴槽２２と、浴槽２２内の水／湯を加温するためのボイラ２４が配置されている。また、浴室部分２０の下部には、図１及び図２に示されるように、浴室部分２０内で使用した水／湯を一時的に溜めておくための排水槽２６と、浴室部分２０内で使用する水を溜めておくための給水槽２８が配置されている。
【００１１】
好ましくは、浴室部分２０には、使用した湯を濾過して再使用に供するための濾過循環機構が配置されている。図４は、濾過循環機構の一例を示した図である。図４に示される濾過循環機構では、浴槽から排出された湯は、濾過装置で濾過され、ポンプによって貯湯槽に溜められた後、ヒータで加温されて、浴槽に戻されるようになっている。なお、濾過循環機構は、公知の型式のものを使用してよい。
【００１２】
脱衣室部分４０は、浴室部分２０よりも僅かに小さい、全体として直方体の形状を有しており、浴室部分２０内に入れ子式に収容されるように構成されている。より詳細に説明すると、脱衣室部分４０の底部には、第１ローラ４２が回転可能に取り付けられており、浴室部分４０の床面の長さ方向両縁に配置されたレール３０上で第１ローラ４２を摺動させることにより、脱衣室部分４０を浴室部分２０から引き出して使用状態にしたり（図１参照）、脱衣室部分４０を浴室部分２０に収容して不使用状態にしたり（図２参照）することができるようになっている。
【００１３】
脱衣室部分４０には、図３に示されるように、玄関４４、トイレ４６、椅子４８、脱衣棚５０が配置されている。
【００１４】
なお、脱衣室部分４０の出し入れを容易にするために、脱衣室部分４０の浴室部分２０の側と反対側の下部に第２ローラ５２を回転可能に取り付けるのが好ましい。
【００１５】
また、浴室部分２０及び脱衣室部分４０には、脱衣室部分４０を浴室部分２０内に収容したときに互いに固定するための掛け金３２が設けられている。さらに、浴室部分２０の下部には、可搬式浴室ユニットを吊り上げる際に用いる吊り金具３４が取り付けられている。
【００１６】
次に、以上のように構成された本発明の好ましい実施の形態に係る可搬式浴室ユニット１０の使用について説明する。可搬式ユニット１０は、図２に示されるような脱衣室部分４０を収容した状態で車両によって所望の場所に搬送される。所望の場所に到着すると、吊り金具３４にワイヤを掛け、クレーン等で可搬式ユニット１０を吊り上げて地面に降ろす。次いで、脱衣室部分４０を引き出して、可搬式浴室ユニット１０を図１に示されるような使用状態にする。しかる後、浴槽２２に温泉の湯を入れて入浴を楽しむ。入浴後は、脱衣室部分４０で一服してもよい。可搬式浴室ユニット１０を撤去する場合には、脱衣室部分４０を浴室部分２０内に収容し、運搬車両に積み込んで搬送する。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
たとえば、前記実施の形態においては、濾過循環機構について説明されているが、異なる型式の濾過循環機構を使用してもよい。浴室２２、ボイラ２４、玄関４４、トイレ４６、椅子４８、脱衣棚５０などは、図示されている配置と異なる配置にしてもよい。
【００１９】
【発明の効果】
本発明によれば、所望の場所で手軽に温泉に入ることができる。本発明は、温泉好きな人の多い高齢者の福祉にも寄与するという側面も有する。
【図面の簡単な説明】
【図１】本発明の好ましい実施の形態に係る可搬式浴室ユニットの使用状態を示した概略斜視図である。
【図２】本発明の好ましい実施の形態に係る可搬式浴室ユニットの不使用状態を示した概略斜視図である。
【図３】図１の可搬式浴室ユニットを示した概略平面図である。
【図４】循環濾過機構の一例を示した図である。
【符号の説明】
１０　可搬式浴室ユニット
２０　浴室部分
２２　浴槽
２４　ボイラ
３０　レール
３２　掛け金
３４　吊り金具
４０　脱衣室部分
４２　第１ローラ
５２　第２ローラ
【図１】
2004073535.tif 000003
【図２】
2004073535.tif 000004
【図３】
2004073535.tif 000005
【図４】
2004073535.tif 000006